(57)【要約】【課題】  網が輻輳予測状態を経ない場合は、セル加速比を用いて早くピークレートに到達し、網が輻輳状態を経る場合には、セル加速度を用いて網のスループットを改善する。セル加速比端末およびセル加速度端末を同時に網に収容可能とする輻輳予測法を提供する。【解決手段】  網内ノードは、セルが転送されるノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから  Ｍ＊Ｌ／Ｔ＋Ｎ＊ΔＶ＊ｔ／（Ｊ＊ΔＴ）を求め、求められた値が入力伝送路または出力伝送路の許容セルレートＶｍａｘを越すとき、輻輳前兆有りと判断し、その旨を示す輻輳予測信号を送信装置に伝える。【選択図】  図１
2005073158.tif 000002
【特許請求の範囲】
【請求項１】
初レートからピークセルレート（以下ＰＣＲと言う）まで一定値以下のセル加速比モードでセルレートを増加するとともに、フォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する手段と
を備えた送信装置を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項２】
初レートからＰＣＲまで一定値以下のセル加速比モードでセルレートを増加するとともに、フォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する手段と
を備えた送信装置を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項３】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段と
を備えた送信装置を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項４】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段と
を備えた送信装置を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項５】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段と
を備えた送信装置と、
セルレート増加無し信号を含むフォワードリソース管理セルを周期的に送出する手段と、
受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する手段と
を備えた発端末と
を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により前記輻輳前兆有りと判断されたときには、その旨を示す輻輳予測信号を前記送信装置に伝える手段と
を備えたことを特徴とするセル転送網。
【請求項６】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段と
を備えた送信装置と、
セルレート増加無し信号を含むフォワードリソース管理セルを周期的に送出する手段と、
受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送出を開始する手段と
を備えた発端末と
を収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項７】
初レートからＰＣＲまで一定値以下のセル加速比モードでセルレートを増加するとともに、フォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する手段と
を備えたことを特徴とする送信装置。
【請求項８】
初レートからＰＣＲまで一定値以下のセル加速比モードでセルレートを増加するとともに、フォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する手段と
を備えたことを特徴とする送信装置。
【請求項９】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、
当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段と
を備えたことを特徴とする送信装置。
【請求項１０】
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、
この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段と
を備えたことを特徴とする送信装置。
【請求項１１】
前記セル加速度モードにおいて、所定時間以上輻輳予測通知を含むバックワードリソース管理セルを受信しない場合には、前記セル加速比モードに戻す手段を備えた請求項９または１０記載の送信装置。
【請求項１２】
セルレート増加無し信号を含むフォワードリソース管理セルを周期的に送出する手段と、
受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する手段と
を備えたことを特徴とする発端末。
【請求項１３】
初レートからＰＣＲまで一定値以下のセル加速比でセルレートを増加するとともに、セルレート増加有無信号Ｕを含むフォワードリソース管理セルを所定の個数のデータセルを送出する毎に一つ送出する手段と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、輻輳予測信号を含まないバックワードリソース管理セルを受信するまで現在レートを維持する手段と
を備えた第一の送信装置と、
初レートからＰＣＲまで一定値以下のセル加速度でセルレートを増加するとともに、セルレート増加有無信号Ｕを含むフォワードリソース管理セルを周期ΔＴで送出する手段と、
受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段と
を備えた第二の送信装置とを
収容するセル転送網であって、
網内ノードは、
セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、
この求める手段により求められた値が入力伝送路または出力伝送路の許容セルレートＶｍａｘを越すとき、輻輳前兆有りと判断する手段と、
この判断する手段により輻輳前兆有りと判断されたときには、その旨を示す輻輳予測信号を前記送信装置に伝える手段と
を備えたことを特徴とするセル転送網。
【請求項１４】
情報処理装置にインストールすることにより、その情報処理装置に、
初レートからＰＣＲまで一定値以下のセル加速比モードでセルレートを増加するとともに、フォワードリソース管理セルを所定の個数のデータセルを送出する毎に一つ送出する機能と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、
この切り替える機能により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する機能と
を備えた送信装置に相応する機能を実現させることを特徴とするプログラム。
【請求項１５】
情報処理装置にインストールすることにより、その情報処理装置に、
初レートからＰＣＲまで一定値以下のセル加速比モードでセルレートを増加するとともに、フォワードリソース管理セルを所定の個数のデータセルを送出する毎に一つ送出する機能と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、
この切り替える機能により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する機能と
を備えた送信装置に相応する機能を実現させることを特徴とするプログラム。
【請求項１６】
情報処理装置にインストールすることにより、その情報処理装置に、
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する機能と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、
この切り替える機能により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する機能と
を備えた送信装置に相応する機能を実現させるプログラム。
【請求項１７】
情報処理装置にインストールすることにより、その情報処理装置に、
初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する機能と、
受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、
この切り替える機能により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する機能と
を備え送信装置に相応する機能を実現させることを特徴とするプログラム。
【請求項１８】
情報処理装置にインストールすることにより、その情報処理装置に、
前記セル加速度モードにおいて、所定時間以上輻輳予測通知を含むバックワードリソース管理セルを受信しない場合には、前記セル加速比モードに戻す機能を実現させる請求項１６または１７記載のプログラム。
【請求項１９】
情報処理装置にインストールすることにより、その情報処理装置に、
セルレート増加無し信号を含むフォワードリソース管理セルを周期的に送出する機能と、
受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する機能と
を備えた発端末に相応する機能を実現させることを特徴とするプログラム。
【請求項２０】
請求項１４ないし１９のいずれかに記載のプログラムが記録された前記情報処理装置読み取り可能な記録媒体。
【発明の詳細な説明】
【技術分野】
【０００１】
本発明は、ＡＴＭ(Asynchronous Transfer Mode)網に用いる固定長パケットであるセルの転送方法に関する。本発明は、送受信装置間で送信側のノード、中継ノード、受信側のノードを介してセルを双方向に転送する網輻輳回避技術を用いたセル転送方法に関する。
【背景技術】
【０００２】
図１に従来例１の構成図を示す。図１において、１−１、１−２は送信端末装置、２はセル組立回路、３は送信バッファ、４はセル送出制御回路、５はＦＲＭセル送出回路、６はＢＲＭセル受信回路、７は受信バッファ、８はセル分解回路、９、１０は中継ノード、１１、１２はバッファ、１３は輻輳予測回路、１４は輻輳予測信号挿入回路、１５は経路選択回路、１６−１、１６−２は受信端末装置、１７は受信バッファ、１８はセル分解回路、１９はＦＲＭセル折り返し回路、２０はセル組立回路、２１は送信バッファ、２２は伝送路である。送信端末装置１−１、１−２はそれぞれ受信端末装置１６−１、１６−２に接続され、双方向にコネクションが設定されているものとする。図１は送信端末装置より受信端末装置にデータセルを送る片方向通信の場合を示しており、逆方向通信は省略されている。
【０００３】
図２は、セルフォーマットの一例を示す図である。セルヘッダにはＶＰＩ，ＶＣＩ，ＣＬＰ，ＰＴＩ(Payload Type Identifier),ＨＥＣの各フィールドが設けられている。ＲＭセルは、セルヘッダのＰＴＩフィールドにおいて１１０のセルで定義されている。ちなみに、ＰＴＩフィールドが０００のセルはユーザ情報セルで、輻輳なしのＡＴＭレイヤユーザ間表示＝０のセルであり、００１のセルはユーザ情報セルで、輻輳なしのＡＴＭレイヤユーザ間表示＝１のセルであり、０１０のセルはユーザ情報セルで、輻輳有りのＡＴＭレイヤユーザ間表示＝０のセルであり、０１１のセルはユーザ情報セルで、輻輳有りのＡＴＭレイヤユーザ間表示＝１のセルである。尚、フォワードＲＭセル（ＦＲＭセル）とバックワードＲＭセル（ＢＲＭセル）の区別は、セルペイロードで行われる。また輻輳表示ビット（ＣＩビット）は、ＲＭセルのペイロードに書き込まれる。データセルはユーザ情報セルである。
【０００４】
セル組立回路２より送出されたデータセルは一時的に送信バッファ３に蓄積された後、セル送出制御回路４の制御に従って送信バッファ３より読み出される。送信バッファ３の出力セルレートはそのセル間隔がＬ／ＡＣＲ，(ＡＣＲ：現在のセルレート、Ｌ：セル長（４２４ｂｉｔ）)になるように制御される。セル送出制御回路４は送信バッファ３よりＮｒｍ−１個のデータセルを読み出す毎に制御信号をＦＲＭセル送出回路５に送り、その回路５より１個のＦＲＭセルを送出させる。
【０００５】
セル送出制御回路４の制御に従って、送信バッファ３およびＦＲＭセル送出回路５から送出されるデータセルおよびＦＲＭセルのセルレートＹは次式に示される。
Ｙ＝ＩＣＲ＊ｅｘｐ（β＊Ｔ）−−−−−−−（１）
β＝ＰＣＲ＊ＲＩＦ／（Ｎｒｍ＊Ｌ）−−−−−（２）
Ｙ：送出セルレート（ｂｉｔ／ｓｅｃ）
ＲＩＦ：レート増加係数
Ｎｒｍ：ＲＭセルに挟まれて送られるデータセルの数＋１
ＰＣＲ：ピークセルレート（ｂｉｔ／ｓｅｃ）
ＩＣＲ：初速度（ｂｉｔ／ｓｅｃ）（＝最小セルレート（ＭＣＲ））
β：加速比係数（１／ｓｅｃ）
Ｌ：セル長（４２４ｂｉｔ）
Ｔ：入力を経過時間とし、出力をセルレートとする仮想ルックアップテーブル上の経過時間（ｓｅｃ）
【０００６】
セルレート増加中のセルレートを式（１）、（２）のように表わすことができるので、端末１−１、１−２からの送出セルはセル加速比（単位時間当たりのセルレート増加比率）制限に従っており、このため中継ノード９は輻輳予測が可能となる。現在のセルレートＡＣＲ（ｂｉｔ／ｓｅｃ）は、ＢＲＭセル受信回路６が輻輳予測信号を含まない（ＣＩ＝０）ＢＲＭセルを受信した場合は、次式で示されるようにセルレートを増加させる。
ＡＣＲ＝ＡＣＲ＋ＲＩＦ＊ＰＣＲ
ＡＣＲ＝Ｍｉｎ（ＡＣＲ，ＰＣＲ）−−−−−−−−−−−−−−（３）
ＡＣＲ：現在のセルレート（ｂｉｔ／ｓｅｃ）
ＲＩＦ：レート増加係数
ＰＣＲ：ピークセルレート（ｂｉｔ／ｓｅｃ）
Ｍｉｎ（Ａ，Ｂ）：ＡとＢの内小さい方をとる
【０００７】
また、現在のセルレートＡＣＲは、ＢＲＭセル受信回路６が輻輳予測信号を含む（ＣＩ＝１）ＢＲＭセルを受信した場合は、次式で示されるようにセルレートを減少させる。
ＡＣＲ＝ＡＣＲ−ＲＤＦ＊ＡＣＲ
ＡＣＲ＝Ｍａｘ（ＡＣＲ，ＭＣＲ）−−−−−−−−−−−−−（４）
ＲＤＦ：レート減少係数
ＭＣＲ；最小セルレート（ｂｉｔ／ｓｅｃ）
Ｍａｘ（Ａ，Ｂ）：ＡとＢの内大きい方をとる
【０００８】
式（３）、式（４）により現在のセルレートＡＣＲの増加または減速を行うとき、式（１）の仮想ルックアップテーブル上の経過時間Ｔが増加または減少する。
【０００９】
セル送出制御回路４はセル送信端末装置１からのデータセル送出開始時には、現在のセルレートＡＣＲをＩＣＲ（初速度）に設定する。またＩＣＲはＭＣＲ（最小セルレート）にする。以上述べた送信端末装置の動作フローを図３に示す。
【００１０】
送信バッファ３より読み出されたデータセルとＦＲＭセル送出回路５より送出されたＦＲＭセルは伝送路２２により中継ノード９のバッファ１１に送られる。バッファ１１に一時的に蓄積されたデータセルとＦＲＭセルは伝送路速度で読み出される。
【００１１】
中継ノード９では、バッファ１１から読み出されたセルレートより、輻輳予測回路１３により伝送路の輻輳予測を次式により行う。
Ｖ＝Ｖｃ＊ｅｘｐ（ＰＣＲ＊ＲＩＦ＊Ｄ１／（Ｎｒｍ＊Ｌ））−−−−−−（５）
Ｖ：輻輳予測速度（ｂｉｔ／ｓｅｃ）
Ｖｃ：現在の伝送路のセルレート（ｂｉｔ／ｓｅｃ）
Ｌ：セル長（４２４ｂｉｔ）
ＰＣＲ：ピークセルレート
ＲＩＦ：レート増加係数
Ｎｒｍ：ＲＭセルに挟まれて送られるデータセルの数＋１
Ｄ１：セル送信端末装置１と中継ノード９との往復遅延時間（ｓｅｃ）
【００１２】
（５）式において輻輳予測速度Ｖが伝送路の許容セルレート（Ｖｍａｘ）を超す場合、すなわち
Ｖｃ＞Ｖｍａｘ＊ｅｘｐ（−ＰＣＲ＊ＲＩＦ＊Ｄ１／（Ｎｒｍ＊Ｌ））
の場合には、輻輳予測回路１３は輻輳予測有りと判断する。輻輳予測回路１３は輻輳予測有りと判断した場合には、輻輳予測信号挿入回路１４において逆方向に流れるＢＲＭセルのペイロードのＣＩビットを１に設定する。輻輳予測信号が挿入されたＢＲＭセルは経路選択回路１５により対地別にふりわけられて、送信端末装置１−１、１−２のＢＲＭセル受信回路６に送られる。
【００１３】
中継ノード９のバッファ１１より読み出されたデータセルおよびＦＲＭセルは中継ノード１０のバッファ１１、経路選択回路１５を介して、受信端末装置１６−１、１６−２に送られる。受信端末装置１６では、ＦＲＭセルのみをＢＲＭセルに変換後、ＦＲＭセル折り返し回路１９により折り返す。折り返されたＢＲＭセルは中継ノード１０を介して、中継ノード９に送られる。一方、受信端末装置１６に到着したデータセルはバッファ１７を介してセル分解回路１８に送られる。また、セル組立回路２０より発生したセルはバッファ２１に蓄積された後、セル送出制御回路（図には記してない）により読み出されて、中継ノード１０、９を経由して送信端末装置１の受信バッファ７に蓄積された後セル分解回路８に送られる（例えば、特許文献１参照）。
【特許文献１】特開２００２−３６８８０１号公報
【発明の開示】
【発明が解決しようとする課題】
【００１４】
従来例１は、送信端末装置１がセル加速比制限に従ってセルを送出し、中継ノードが輻輳予測を行うため、中継ノードでのセル廃棄が無く、遅延が少なく、中継ノードのバッファ１１は少ないメモリ量でよいという利点がある。また、短距離ではセル加速度を用いるより、早くピークレートに到達し、スループットも高いが、長距離では輻輳予測ノードの輻輳予測帯域が非常に大きくなり、スループットが著しく下がる欠点がある。また、この網はセル加速比端末とセル加速度端末を同時に収容できない欠点がある。
【００１５】
本発明の課題は、上記欠点を解決し、短距離で網が輻輳予測状態でない場合には、送信端末装置はセル加速比を用い、長距離では自動的にセル加速度を用いることにより、網が輻輳予測状態を経ない場合は、セル加速比を用いて早くピークレートに到達し、網が輻輳状態を経る場合には、セル加速度を用いて網のスループットを改善することにある。また、セル加速比端末およびセル加速度端末を同時に網に収容可能とする輻輳予測法を提供することにある。
【課題を解決するための手段】
【００１６】
本発明の第一の観点は、初レートからピークセルレート（以下ＰＣＲと言う）まで一定値以下のセル加速比モードでセルレートを増加するとともに、フォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する手段とを備えた送信装置を収容するセル転送網である。
【００１７】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項１）。
【００１８】
すなわち、網が輻輳予測状態でない場合は、セル加速比でセルレートを増加することにより、早くピークセルレートに到達でき、ピークレート伝送が可能になる。網が輻輳予測状態では到達速度確保形のセル加速度でセルを送出することにより、網が輻輳予測状態でもレートを低減せずにセル転送できる。また、網内ノードは、セル加速度のセルでもセル加速比のセルでも、同時に扱え、輻輳の前兆があるか否か判断できる。
【００１９】
あるいは、本発明は、初レートからＰＣＲまで一定値以下のセル加速比モードでセルレートを増加するとともに、フォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する手段とを備えた送信装置を収容するセル転送網である。
【００２０】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項２）。
【００２１】
すなわち、網が輻輳予測状態でない場合は、セル加速比でセルレートを増加することにより、早くピークセルレートに到達でき、ピークレート伝送が可能になる。網が輻輳予測状態では到達速度確保形のセル加速度でセルを送出し、輻輳予測通知の受信では、レートを低減することにより、網が輻輳予測状態では網を公平使用できる。また、網内ノードは、セル加速度のセルでもセル加速比のセルでも、同時に扱え、輻輳の前兆があるか否か判断できる。
【００２２】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段とを備えた送信装置を収容するセル転送網である。
【００２３】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項３）。
【００２４】
すなわち、網が輻輳予測状態でない場合は、セル加速比でセルレートを増加することにより、早くピークセルレートに到達でき、ピークレート伝送が可能になる。網が輻輳予測状態では到達速度確保形のセル加速度でセルを送出することにより、網が輻輳予測状態でもレートを低減せずにセル転送できる。この場合、網の使用効率が高い。また、次ぎに述べる送信装置に比べて優先してレート上昇できる優先権が与えられる。また、網内ノードは、セル加速度のセルでもセル加速比のセルでも、同時に扱え、輻輳の前兆があるか否か判断できる。
【００２５】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段とを備えた送信装置を収容するセル転送網である。
【００２６】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項４）。
【００２７】
すなわち、網が輻輳予測状態でない場合は、セル加速比でセルレートを増加することにより、早くピークセルレートに到達でき、ピークレート伝送が可能になる。網が輻輳予測状態では到達速度確保形のセル加速度でセルを送出することにより、網が輻輳予測状態でもレートを低減せずにセル転送できる。この場合、網の使用効率が高い。また、前に述べた送信装置に比べて非優先でレート上昇できる非優先権が与えられる。また、網内ノードは、セル加速度のセルでもセル加速比のセルでも、同時に扱え、輻輳の前兆があるか否か判断できる。
【００２８】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段とを備えた送信装置と、セルレート増加無し信号を含むフォワードリソース管理セルを周期的に送出する手段と、受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する手段とを備えた発端末とを収容するセル転送網である。
【００２９】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により前記輻輳前兆有りと判断されたときには、その旨を示す輻輳予測信号を前記送信装置に伝える手段とを備えたところにある（請求項５）。
【００３０】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段とを備えた送信装置と、セルレート増加無し信号を含むフォワードリソース管理セルを周期的に送出する手段と、受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送出を開始する手段とを備えた発端末とを収容するセル転送網である。
【００３１】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項６）。
【００３２】
あるいは、本発明は、初レートからＰＣＲまで一定値以下のセル加速比でセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、輻輳予測信号を含まないバックワードリソース管理セルを受信するまで現在レートを維持する手段とを備えた第一の送信装置と、初レートからＰＣＲまで一定値以下のセル加速度でセルレートを増加するとともに、セルレート増加有無信号Ｕを含むフォワードリソース管理セルを周期ΔＴで送出する手段と、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段とを備えた第二の送信装置とを収容するセル転送網である。
【００３３】
ここで、本発明の特徴とするところは、網内ノードは、セルの宛先アドレスまたは経路識別番号により当該セルが転送されるノードの順方向の入力バッファまたは出力バッファまたは多重化手段の出力のセル転送速度Ｍ＊Ｌ／Ｔと、Ｊ＊ΔＴ時間内のセルレート増加有り信号（Ｕ＝１）を含むフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求める手段と、この求める手段により求められた値が入力伝送路または出力伝送路の許容セルレートＶｍａｘを越すとき、輻輳前兆有りと判断する手段と、この判断する手段により輻輳前兆有りと判断されたときには、その旨を示す輻輳予測信号を前記送信装置に伝える手段とを備えたところにある（請求項１３）。
【００３４】
本発明の第二の観点は、初レートからＰＣＲまで一定値以下のセル加速比モードでセルレートを増加するとともに、フォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する手段とを備えたことを特徴とする送信装置である（請求項７）。
【００３５】
あるいは、本発明、初レートからＰＣＲまで一定値以下のセル加速比モードでセルレートを増加するとともに、フォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する手段とを備えたことを特徴とする送信装置である（請求項８）。
【００３６】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する手段とを備えたことを特徴とする送信装置である（請求項９）。
【００３７】
あるいは、本発明は、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する手段と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える手段と、この切り替える手段により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する手段とを備えたことを特徴とする送信装置である（請求項１０）。
【００３８】
また、本発明の送信装置は、前記セル加速度モードにおいて、所定時間以上輻輳予測通知を含むバックワードリソース管理セルを受信しない場合には、前記セル加速比モードに戻す手段を備えることができる（請求項１１）。
【００３９】
本発明の第三の観点は、セルレート増加無し信号を含むフォワードリソース管理セルを周期的に送出する手段と、受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する手段とを備えたことを特徴とする発端末である（請求項１２）。
【００４０】
すなわち、フォワードリソース管理セルを周期的に送出し、送出開始から所定時間経過しても網が輻輳予測状態でない状態にならない場合は、呼損とし、輻輳予測状態でない状態が現れた場合には、着端末にフォワードリソース管理セルの送出指示を行うとともに、音声信号の送信を開始する。
【００４１】
本発明の第四の観点は、情報処理装置にインストールすることにより、その情報処理装置に、初レートからＰＣＲまで一定値以下のセル加速比モードでセルレートを増加するとともに、フォワードリソース管理セルを所定の個数のデータセルを送出する毎に一つ送出する機能と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、この切り替える機能により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、輻輳予測信号が書き込まれていないバックワードリソース管理セルを受信するまで現在レートを維持する機能とを備えた送信装置に相応する機能を実現させることを特徴とするプログラムである（請求項１４）。
【００４２】
あるいは、本発明は、情報処理装置にインストールすることにより、その情報処理装置に、初レートからＰＣＲまで一定値以下のセル加速比モードでセルレートを増加するとともに、フォワードリソース管理セルを所定の個数のデータセルを送出する毎に一つ送出する機能と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、この切り替える機能により前記セル加速度モードに切り替えられたときには、フォワードリソース管理セルを周期ΔＴで送出し、受信側で折り返されたバックワードリソース管理セルを受信し、当該受信したバックワードリソース管理セルに輻輳予測信号が書き込まれていないとき、セル送出レートをΔＶ上昇し、当該受信したバックワードリソース管理セルに輻輳予測信号が書き込まれているとき、現在レートを低減する機能とを備えた送信装置に相応する機能を実現させることを特徴とするプログラムである（請求項１５）。
【００４３】
あるいは、本発明は、情報処理装置にインストールすることにより、その情報処理装置に、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する機能と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、この切り替える機能により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ前記輻輳予測信号が書き込まれていないとき、送出すべきセルがある場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合は、Ｕを１として現在のセルレートを維持し、当該受信したバックワードリソース管理セルに前記輻輳予測信号が書き込まれているとき、送出すべきセルがある場合は、セルレート増加有無信号Ｕを増加無し（Ｕ＝０）にして、現在のセルレートを維持する機能とを備えた送信装置に相応する機能を実現させるプログラムである（請求項１６）。
【００４４】
あるいは、本発明は、情報処理装置にインストールすることにより、その情報処理装置に、初レートからＰＣＲまで一定値以下のセル加速比モードでセルレートを増加するとともに、セルレート増加有無信号Ｕを含むフォワードリソース管理セルを所定の個数のデータセルを送出する毎に一つ送出する機能と、受信側で折り返されたバックワードリソース管理セルを受信し、当該受信したバックワードリソース管理セルに輻輳予測信号が書き込まれていないとき、セル送出速度をΔＶ上昇し、当該受信したバックワードリソース管理セルに輻輳予測信号が書き込まれているとき、それ以降一定値以下のセル加速度でセルレート増加するセル加速度モードに切り替える機能と、この切り替える機能により前記セル加速度モードに切り替えられたときには、セルレート増加有無信号Ｕを含むフォワードリソース管理セルを周期ΔＴで送出し、受信側で折り返されたセルレート増加有無信号Ｕを含むバックワードリソース管理セルを受信し、当該受信したバックワードリソース管理セルに含まれるセルレート増加有無信号Ｕが増加有り（Ｕ＝１）でかつ輻輳予測信号が書き込まれていないとき、送出すべきセルがある場合で、現在のレートＡＣＲがＰＣＲ以下の場合は、Ｕを１としてセルレートをΔＶ増加し、当該受信したバックワードリソース管理セルに含まれるセルレート増加有無信号Ｕが増加無し（Ｕ＝０）でかつ前記輻輳予測信号が書き込まれていないとき、送出すべきセルがある場合で、現在のレートＡＣＲがＰＣＲ以下の場合は、Ｕを１として現在のセルレートを維持し、当該受信したバックワードリソース管理セルに輻輳予測信号が書き込まれているとき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する機能とを備え送信装置に相応する機能を実現させることを特徴とするプログラムである（請求項１７）。
【００４５】
また、情報処理装置にインストールすることにより、その情報処理装置に、前記セル加速度モードにおいて、所定時間以上輻輳予測通知を含むバックワードリソース管理セルを受信しない場合には、前記セル加速比モードに戻す機能を実現させることができる（請求項１８）。
【００４６】
あるいは、本発明は、情報処理装置にインストールすることにより、その情報処理装置に、セルレート増加無し信号を含むフォワードリソース管理セルを周期的に送出する機能と、受信側で折り返されたバックワードリソース管理セルを受信し、前記フォワードリソース管理セルの送出開始から所定時間経過しても、当該受信したバックワードリソース管理セルに含まれる輻輳予測信号の割合が所定値以下にならない場合には、前記フォワードリソース管理セルの送出を停止し、所定値以下になった場合には、フォワードリソース管理セル送出開始指示信号を受信側のインタフェース回路に送出するとともに音声信号の送信を開始する機能とを備えた発端末に相応する機能を実現させることを特徴とするプログラムである（請求項１９）。
【００４７】
本発明の第五の観点は、本発明のプログラムが記録された前記情報処理装置読取可能な記録媒体である（請求項２０）。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００４８】
これにより、汎用の情報処理装置を用いて、本発明の送信装置および発端末を実現することができる。
【００４９】
このように、本発明は、送信装置である送信側のレート制御回路または送信側の端末装置が、初速度からピークセルレートまでセル加速比またはセル加速度でセル転送速度を上昇されることによって送信側のノードおよび中継ノードの出力バッファ出力での輻輳予測を可能とさせる。
【００５０】
これは、セル加速比では、所定の個数のデータセルを送出する毎に一つのフォワード管理セルを送出し、受信側で折り返されたバックワードリソース管理セルを受信し、そのセルに輻輳予測信号が含まれていない場合は、レートをΔＶ上げ、輻輳予測信号が含まれるバックワードリソース管理セルを受信した場合は、セル加速度モードに切り替え、セル加速度モードでは、ΔＴ周期でフォワードリソース管理セルを送出し、受信側で折り返されたバックワードリソース管理セルを受信し、そのセルに輻輳予測信号が含まれていない場合は、レートをΔＶ上げるからである。
【００５１】
これにより、網内ノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求め、この値が入力伝送路または出力伝送路の許容セルレートＶｍａｘを越すとき、輻輳前兆有りと判断し、その旨を示す輻輳予測信号を前記送信装置に伝えることができる。このように網内ノードは、セル加速比のセルおよびセル加速度のセルを同時に扱うことができる。
【００５２】
送信装置は、網が輻輳予測状態でない場合は、セル加速比でセルレートを増加することにより、早くピークセルレートに到達でき、大容量データ伝送が可能になる。網が輻輳予測状態では到達速度確保形のセル加速度でセルを送出することにより、網が輻輳予測状態でもレートを低減せずに効率の良いセル転送ができる。また、長距離伝送では、セル加速比でセルを転送した場合には、輻輳予測帯域が大きくなり、輻輳の前兆有りとなるので輻輳予測信号が送信装置に通知され、送信装置は、自動的にセル加速度モードに切り替わる。これによって、長距離でもスループットの高いセル転送が可能になる。
【００５３】
また、網が輻輳予測状態の頻度が高い状態を継続させる場合には、送信装置は、セル加速度で優先制御と非優先制御の二つのモードを使いわけることができる。
【発明の効果】
【００５４】
本発明は、送信装置である送信側のレート制御回路または送信側の端末装置が、初速度からピークセルレートまでセル加速比またはセル加速度でセル転送速度を上昇されることによって送信側のノードおよび中継ノードの出力バッファ出力での輻輳予測を可能とさせる。
【００５５】
これは、セル加速比では、所定の個数のデータセルを送出する毎に一つのフォワード管理セルを送出し、受信側で折り返されたバックワードリソース管理セルを受信し、そのセルに輻輳予測信号が含まれていない場合は、レートをΔＶ上げ、輻輳予測信号が含まれるバックワードリソース管理セルを受信した場合は、セル加速度モードに切り替え、セル加速度モードでは、ΔＴ周期でフォワードリソース管理セルを送出し、受信側で折り返されたバックワードリソース管理セルを受信し、そのセルに輻輳予測信号が含まれていない場合は、レートをΔＶ上げるからである。
【００５６】
これにより、網内ノードの順方向の入力バッファまたは出力バッファまたは多重化手段の出力のセル転送速度Ｍ＊Ｌ／Ｔと、Ｊ＊ΔＴ時間内のフォワードリソース管理セル数Ｎと、輻輳予測時間ｔから
Ｍ＊Ｌ／Ｔ＋Ｎ＊ΔＶ＊ｔ／（Ｊ＊ΔＴ）
Ｍ：現在の順方向の出力バッファ出力のＴ／２位相ずれた二つの時間ジャンピングウインドウＴ内のそれぞれの合計セル数
Ｌ：セル長
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
を求め、この値が入力伝送路または出力伝送路の許容セルレートＶｍａｘを越すとき、輻輳前兆有りと判断し、その旨を示す輻輳予測信号を前記送信装置に伝えることができる。
【００５７】
このように網内ノードは、セル加速比のセルおよびセル加速度のセルを同時に扱うことができる。
【００５８】
送信装置は、網が輻輳予測状態でない場合は、セル加速比でセルレートを増加することにより、早くピークセルレートに到達でき、大容量データ伝送が可能になる。網が輻輳予測状態では到達速度確保形のセル加速度でセルを送出することにより、網が輻輳予測状態でもレートを低減せずに効率の良いセル転送ができる。また、長距離伝送では、セル加速比でセルを転送した場合には、輻輳予測帯域が大きくなり、輻輳の前兆有りとなるので輻輳予測信号が送信装置に通知され、送信装置は、自動的にセル加速度モードに切り替わる。これによって、長距離でもスループットの高いセル転送が可能になる。
【００５９】
また、網が輻輳予測状態の頻度が高い状態を継続させる場合には、送信装置は、セル加速度で優先制御と非優先制御の二つのモードを使いわけることができる。
【発明を実施するための最良の形態】
【００６０】
（第１実施例）
本発明の第１実施例を図４を用いて説明する。図４において、３０は送信側のノード、３１は中継ノード、３２は受信側のノード、３３は発端末、３４は送信側の端末装置、３５、３６は送信側のＵＰＣ(Usage Parameter Control)等のインタフェース回路、３７は送信側のレート制御回路、３８はルーチング回路、３９は出力バッファ、４０は輻輳予測回路、４１は輻輳予測信号挿入回路、４２、４４は受信側のＵＰＣ等のインタフェース回路、４３は着端末、４５は受信側の端末装置、４６は受信側のレート制御回路、４７は加入者線（アクセス回線）、４８は中継伝送路である。
【００６１】
発端末３３の構成を図５に示す。図５において、５０はＦＲＭセル折り返し回路、５１はＢＲＭセル受信回路、５２はセル送出制御回路、５３はＦＲＭセル送出回路、５４は送信バッファ、５５は符号化回路、５６は受信バッファ、５７はＦＲＭセル分解回路、５８は復号化回路である。
【００６２】
次ぎに送信側の端末装置３４の構成を図６に示す。図６において、６０はＦＲＭセル折り返し回路、６１はＢＲＭセル受信回路、６２はセル送出制御回路、６３はＦＲＭセル送出回路、６４は送信バッファ、６５はセル組み立て回路、６６は受信バッファ、６７はセル分解回路である。
【００６３】
次ぎに送信側のレート制御回路の構成を図７に示す。図７において、７０はＦＲＭセル折り返し回路、７１はＢＲＭセル受信回路、７２はセル送出制御回路、７３はＦＲＭセル送出回路、７４は送信バッファ、７５はセル組み立て回路、７６は受信バッファ、７７はセル分解回路である。次ぎに着端末４３の構成を図８に示す。図８において、各回路は図５と同じである。
【００６４】
次ぎに受信側の端末装置４５の構成を図９に示す。図９において、各回路は図６と同じである。次ぎに受信側のレート制御回路４６の構成を図１０に示す。図１０において、各回路は図７と同様である。
【００６５】
図４では、発端末と着端末に対応する受信側のインタフェース回路、送信側の端末装置と受信側の端末装置、送信側のレート制御回路と受信側のレート制御回路は、送信側のノード、中継ノード、受信側のノードにおいて、経路識別番号（ＶＣＩ）により双方向にＶＣ接続されているものとする。
【００６６】
発端末３３のセル送出制御回路５２は、音声信号（符号化信号）を送出する前に、ΔＴ（所定時間（例えば５ｍｓｅｃ））の周期でＦＲＭ（リソース管理）セルを送出するように、ＦＲＭセル送出回路５３に信号を送出する。発端末から送出されたＦＲＭセルは、受信側のインタフェース回路４２でＢＲＭセルとして折り返されて、ＢＲＭセル受信回路５１に到着する。所定時間ウインドウＴ（所定時間、例えば０．１ｓｅｃ）内にＢＲＭセル受信回路５１で受信した輻輳予測信号を含むＢＲＭセルの数が所定値Ｌ個（例えば０個）以下である場合には、セル送出制御回路５２は、ＦＲＭセル送出指示信号を含むＦＲＭセルを受信側に送る。着端末より音声信号が挿入されたＦＲＭセルを受信した場合は、発端末のセル送出制御回路５２は、音声信号を符号化するように符号化回路５５に信号をおくる。また、符号化回路５５、送信バッファ５４に信号を送り、符号化信号をＦＲＭセル送出回路５３に送るように制御する。ＦＲＭセル送出回路５３に送られた符号化信号は、ＦＲＭセルのペイロードに挿入されて、ΔＴの周期で送出される。尚、受信したＦＲＭセルは受信バッファ５６に蓄積された後、ＦＲＭセル分解回路５７で符号化信号に分解された後、復号化回路５８で音声信号に復号化される。
【００６７】
一方、ＦＲＭセル送出開始から一定時間Ｔ０（例えば１ｓｅｃ）経過しても、所定時間ウインドウＴ内にＢＲＭセル受信回路５１で受信した輻輳予測信号を含むＢＲＭセルの数が所定値Ｌ個以下になる場合が生じない場合には、セル送出制御回路５２は、ＦＲＭセルの送出を停止する。
【００６８】
尚、所定時間ウインドウは長さＭ（＝Ｔ／ΔＴ）のシフトレジスタで実現することが望ましい。
【００６９】
以上述べた発端末３３の動作フローを図１１に示す（請求項５、６、１２）。また受信側のインタフェース回路４２の動作フローを図１２、図１３に示す。
【００７０】
セル送出制御回路５２を含む発端末３３の動作を図１１のフローを用いて説明する。まず、Ｔｉｍｅｒ１（経過時間とともにタイマー値が増加するタイマー）のタイマー値を０に設定する（３００）。次ぎに長さＭ（＝Ｔ／ΔＴ）のシフトレジスタに全て１を設定する（３０１）。次に、ΔＴの周期でＦＲＭセルを送出する（３０２）。途中でＣＩ＝０（輻輳予測無し）のＢＲＭセルを受信したら（３０３）、長さＭのシフトレジスタに０を入力する（３０４）。次にそのシフトレジスタ内の数字の合計はＬ以下か判断し（３０５）、Ｌ以下である場合には、ＦＲＭセル送出開始指示信号を含むＦＲＭセルを受信側に送出する（３０６）。一方、Ｌ以下でない場合は、３０２に遷移する。
【００７１】
またＣＩ＝１（輻輳予測有り）のＢＲＭセルを受信したら（３０７）、長さＭのシフトレジスタに１を入力する（３０８）。次に、Ｔｉｍｅｒ１のタイマー値が所定値Ｔ０より大きいか判断し（３０９）、大きい場合には、ＦＲＭセルの送出を停止する（３１０）。一方、大きくない場合には、３０２に遷移する。次に、Ｔｉｍｅｒ１のタイマー値が所定値Ｔ０より大きいか判断し（３１１）、大きい場合には、ＦＲＭセルの送出を停止し（３１２）、大きくない場合には、３０２に遷移する。
【００７２】
次ぎにＴｉｍｅｒ２（経過時間とともにタイマー値が増加するタイマー）のタイマー値を０に設定する（３１３）。次ぎに着端末よりＦＲＭセルが到着したか判断し（３１４）、到着した場合には、音声信号を含むＦＲＭセルを着端末に送出開始する（３１５）。一方、到着しない場合は、ΔＴの周期でＦＲＭセルを送出し（３１６）、Ｔｉｍｅｒ２がＴ１（所定値）より大きいか判断し（３１７）、大きい場合には、ＦＲＭセルの送出を停止し（３１８）、大きくない場合は、３１４に遷移する。
【００７３】
次に、受信側のインタフェース回路４２の動作を図１２のフローを用いて説明する。まず、ＦＲＭセル送出開始指示信号を含むＦＲＭセルを受信したか判断し（３２０）、受信した場合には、送信側より受信したＦＲＭセルを着端末に送出開始する（３２１）。一方、受信しない場合には、ＦＲＭセルを受信したか判断し（３２２）、受信した場合には、そのＦＲＭセルをＢＲＭセルに変換後折り返し（３２３）、３２０に遷移する。
【００７４】
このフローの場合、着端末はＦＲＭセル送出開始指示信号を含むＦＲＭセルを受信した場合、送信側より受信したＦＲＭセルをＢＲＭセルに変換後折り返すとともに、音声信号を含むＦＲＭセルを送信側に送出開始する。
【００７５】
次に、受信側のインタフェース回路４２の動作の他の例を図１３のフローを用いて説明する。まず、ＦＲＭセル送出開始指示信号を含むＦＲＭセルを受信したか判断し（３３０）、受信した場合には、送信側より受信したＦＲＭセルをＢＲＭセルに変換後折り返すとともに、ＦＲＭセルをコピ−して着端末に送出開始する（３３１）。一方、受信しない場合には、ＦＲＭセルを受信したか判断し（３３２）、受信した場合には、そのＦＲＭセルをＢＲＭセルに変換後折り返し（３３３）、３３０に遷移する。
【００７６】
このフローの場合、着端末はＦＲＭセル送出開始指示信号を含むＦＲＭセルを受信した場合、音声信号を含むＦＲＭセルを送信側に送出開始する。ＦＲＭセルの折り返しは行わない。
【００７７】
次に送信側の端末装置３４の動作を説明する。送信側の端末装置３４は、セルをセル組み立て回路６５においてセルに組み立て、送信バッファ６４に送る。送信バッファ６４に蓄積されたセルはセル送出制御回路６２の制御により読み出される。  送信バッファ６４の出力のセル速度はそのセル間隔がＬ／ＡＣＲ，（ＡＣＲ：現在のセル速度、Ｌ：セル長（４２４ｂｉｔ））になるように制御される。但し、セルはセルクロックに同期して読み出される。セル送出制御回路６２は送信バッファ６４よりＮｒｍ−１個のデータセルを読み出す毎に制御信号をＦＲＭセル送出回路６３に送り、その回路６３より１個のＦＲＭセルを送出させる。ＦＲＭセルのＶＰＩ、ＶＣＩ領域には、送信バッファ６４が受け取ったセルのＶＰＩ、ＶＣＩがコピ−される。
【００７８】
セル送出制御回路６２の制御に従って、送信バッファ６４およびＦＲＭセル送出回路６３から送出されるデータセルおよびＦＲＭセルのセル速度Ｙは次式に示される。
Ｙ＝ＩＣＲ＊ｅｘｐ（β＊Ｔ）−−−−−−−（６）
β＝ΔＶ／（Ｎｒｍ＊Ｌ）−−−−−（７）
Ｙ：送出セル速度（ｂｉｔ／ｓｅｃ）
Ｎｒｍ：ＦＲＭセルに挟まれて送られるデータセルの数＋１
ΔＶ：最大セル速度増加量（ｂｉｔ／ｓｅｃ）
ＩＣＲ：初速度（ｂｉｔ／ｓｅｃ）（＝最小セル速度（ＭＣＲ））
β：加速比係数（１／ｓｅｃ）
Ｌ：セル長（４２４ｂｉｔ）
Ｔ：入力を経過時間とし、出力をセル速度とする仮想ルックアップテーブル上の経過時間（ｓｅｃ）
【００７９】
送信側のレート制御回路３７のセル送出制御回路７２も送信側の端末装置３４と同様に動作するので、送出セル速度は、式（６）、（７）のようになる。セル速度増加中のセル速度を式（６）、（７）のように表わすことができるので、送信側のレート制御回路または送信側の端末装置からの送出セルはセル加速比（単位時間当たりのセル速度増加比率）制限に従っている。従って、全ての送信側のレート制御回路または送信側の端末装置の加速比係数βが等しくなるので、送信側のノード３０、中継ノード３１の輻輳予測回路４０は輻輳予測が可能となる。現在のセル速度ＡＣＲ（ｂｉｔ／ｓｅｃ）は、ＢＲＭセル受信回路６１が輻輳予測信号を含まない（ＣＩ＝０）ＢＲＭセルを受信した場合は、次式で示されるようにセル速度を増加させる。
ＡＣＲ＝ＡＣＲ＋ΔＶ
ＡＣＲ＝Ｍｉｎ（ＡＣＲ，ＰＣＲ）−−−−−−−−−−−−−−（８）
ＡＣＲ：現在のセル速度（ｂｉｔ／ｓｅｃ）
ΔＶ：最大セル速度増加量（ｂｉｔ／ｓｅｃ）
ＰＣＲ：ピークセルレート（ｂｉｔ／ｓｅｃ）
Ｍｉｎ（Ａ，Ｂ）：ＡとＢの内小さい方をとる
【００８０】
セル送出制御回路６２は、ＢＲＭセル受信回路６１が輻輳予測信号を含む（ＣＩ＝１）ＢＲＭセルを受信した場合は、セル加速比モードからセル加速度モードに切り替わり、所定時間以上輻輳予測信号を含まないＢＲＭセルを連続して受信するまで、セル加速度モードを維持する。次にセル加速度モードの動作を示す。
【００８１】
送信バッファ６４の出力セルレートはそのセル間隔がＬ／ＡＣＲ，（ＡＣＲ：現在のセルレート、Ｌ：セル長（４２４ｂｉｔ））になるように制御される。但し、セルはセルクロックに同期して読み出される。セル送出制御回路６２は一定周期ΔＴで制御信号をＦＲＭセル送出回路６３に送り、ＦＲＭセル送出回路６３よりＦＲＭセルを送出させる。セル送出制御回路６２が送信バッファ６４より読み出すセルレートＡＣＲ（ｂｉｔ／ｓｅｃ）は、ＢＲＭセル受信回路６１が輻輳予測信号を含まない（ＣＩ＝０）ＢＲＭセルを受信した場合は、次式で示されるように増加される。
ＡＣＲ＝ＡＣＲ＋ΔＶ
ＡＣＲ＝Ｍｉｎ（ＡＣＲ，ＰＣＲ）−−−−−−−−−−−−−−（９）
ＡＣＲ：現在のセルレート（ｂｉｔ／ｓｅｃ）
ΔＶ：最大セルレート増加量（ｂｉｔ／ｓｅｃ）
ＰＣＲ：ピークセルレート（ｂｉｔ／ｓｅｃ）
Ｍｉｎ（Ａ，Ｂ）：ＡとＢの内小さい方をとる
【００８２】
セル送出制御回路６２の制御に従って、セルレート増加が式（９）のように行われるので、送信バッファ６４から送出されるデータセルのセルレートＹは次式に示される。
Ｙ＝α＊Ｔ−−−−−−−（１０）
α＝ΔＶ／ΔＴ−−−−−（１１）
Ｙ：送出セルレート（ｂｉｔ／ｓｅｃ）
ΔＶ：最大セルレート増加量（ｂｉｔ／ｓｅｃ）
ΔＴ：一定時間（ＦＲＭセルの周期）
α：セル加速度（ｂｉｔ／ｓｅｃ2）
Ｔ：入力を経過時間とし、出力をセルレートとする仮想ルックアップテーブル上の経過時間（ｓｅｃ）
【００８３】
送信側のレート制御回路３７のセル送出制御回路７２も送信側の端末装置３４と同様に動作するので、送出セル速度は、式（１０）、（１１）のようになる。セルレート増加中のセルレートを式（１０）、（１１）のように表わすことができるので、送信側のレート制御回路３７および送信側の端末装置３４からの送出セルはセル加速度（単位時間当たりのセルレート増加率）制限に従っている。従って、送信側のノード３０、中継ノード３１の輻輳予測回路４０は輻輳予測が可能となる。
【００８４】
また、現在のセルレートＡＣＲは、ＢＲＭセル受信回路６１または７１が輻輳予測信号を含む（ＣＩ＝１）ＢＲＭセルを受信した場合は、輻輳予測信号を含まないＢＲＭセルを受信するまで現在レートを維持する。
【００８５】
または、現在のセルレートＡＣＲは、ＢＲＭセル受信回路６１または７１が輻輳予測信号を含む（ＣＩ＝１）ＢＲＭセルを受信した場合は、低減する。
【００８６】
また、セル加速度モードでは、セルレート増加有無信号Ｕを含むＦＲＭセルを周期ΔＴで送出し、受信側で折り返されたセルレート増加有無信号Ｕを含むＢＲＭセルを受信し、その受信したＢＲＭセルに含まれるセルレート増加有無信号Ｕが増加有り（Ｕ＝１）でかつ輻輳予測信号が書き込まれていない（ＣＩ＝０）とき、送出すべきセルがある場合は、Ｕを１としてセルレートをΔＶを増加し、その受信したＢＲＭセルに含まれるセルレート増加有無信号Ｕが増加無し（Ｕ＝０）でかつ前記輻輳予測信号が書き込まれていない（ＣＩ＝０）とき、送出すべきセルがある場合は、Ｕを１として現在のセルレートを維持し、その受信したＢＲＭセルに前記輻輳予測信号が書き込まれている（ＣＩ＝１）とき、送出すべきセルがある場合は、セルレート増加有無信号Ｕを増加無し（Ｕ＝０）にして、現在のセルレートを維持する。この場合のセル速度増加は、式（１０）、（１１）と同じである。
【００８７】
また、セル加速度モードでは、セルレート増加有無信号Ｕを含むＦＲＭセルを周期ΔＴで送出し、受信側で折り返されたセルレート増加有無信号Ｕを含むＢＲＭセルを受信し、その受信したＢＲＭセルに含まれるセルレート増加有無信号Ｕが増加有り（Ｕ＝１）でかつ輻輳予測信号が書き込まれていない（ＣＩ＝０）とき、送出すべきセルがある場合は、Ｕを１としてセルレートをΔＶを増加し、その受信したＢＲＭセルに含まれるセルレート増加有無信号Ｕが増加無し（Ｕ＝０）でかつ前記輻輳予測信号が書き込まれていない（ＣＩ＝０）とき、送出すべきセルがある場合は、Ｕを１として現在のセルレートを維持し、その受信したＢＲＭセルに前記輻輳予測信号が書き込まれている（ＣＩ＝１）とき、送出すべきセルがある場合は、セルレート増加有無信号Ｕを増加無し（Ｕ＝０）にして、本来のＰＣＲを現在のセルレート（ＡＣＲ）と等しいセルレートの仮のＰＣＲに変更するか判断し、変更すると判断した場合には仮のＰＣＲを本来のＰＣＲに戻すと判断するまでその変更したセルレートでセル送出する。この場合のセル速度増加は、式（１０）、（１１）と同じである。
【００８８】
ピークセルレート（ＰＣＲ）をＡＣＲに変更するか判断する方法は、カウンタ値を初期値に設定されたアップダウンカウンタを用意し、輻輳予測信号が書き込まれていないＢＲＭセルを受信した場合にはこのアップダウンカウンタから１減算し、輻輳予測信号が書き込まれているＢＲＭセルを受信した場合は１を加算し、アップダウンカウンタのカウンタ値が所定値Ｐ１以上になった場合にＰＣＲをＡＣＲに変更する方法である。また、仮のＰＣＲを本来のＰＣＲに戻すと判断する方法は、前記アップダウンカウンタのカウンタ値が所定値Ｐ２（Ｐ２＜Ｐ１）以下になった場合にＰＣＲを元の値に戻す方法である。
【００８９】
尚、送信側のレート制御回路３７または送信側の端末装置３４のＦＲＭセル折り返し回路７０または６０がＦＲＭセルを受信した場合は、ＢＲＭセルに変更して折り返す。送信側の端末装置３４の場合には、ＦＲＭセル折り返し回路６０を送信側のインタフェース回路３６に設けてもよい。
【００９０】
また、セル加速度モードにおいて、所定時間以上輻輳予測通知を含むバックワードリソース管理セルを受信しない場合には、セル加速比モードに戻してもよい。
【００９１】
以上述べた例では、ファイル転送中に、加速比モードと加速度モードを切り替える送信側の端末装置または送信側のレート制御回路の例を示したが、モード切り替えを行わず、セル加速度またはセル加速比だけで動作する場合もある。
【００９２】
セル送出制御回路７２または６２は送信側のレート制御回路３７または送信側の端末装置３４からのデータセル送出開始時には、現在のセルレートＡＣＲをＩＣＲ（初速度）に設定する。またＩＣＲはＭＣＲ（最小セルレート）にする。ＭＣＲ、ＰＣＲは送信側のレート制御回路３７または送信側の端末装置３４によって異なってもよいが、ΔＶ、ΔＴ、Ｎｒｍは全ての送信側のレート制御回路３７または送信側の端末装置３４で同一にする必要がある。以上述べた送信側の端末装置３４または送信側のレート制御回路３７の動作フローを図１４、図１５、図１６、図１７、図１８、図１９、図２０に示す。
【００９３】
セル送出制御回路７２を含む送信側のレート制御回路３７またはセル送出制御回路６２を含む送信側の端末装置３４の動作を図１４のフローを用いて説明する（請求項１、７）。まず、現在のセルレートＡＣＲをＭＣＲに設定する（３５０）。次ぎに送信バッファ７４または６４に送出すべきデータセルが有るか調べ（３５１）、もし無ければＡＣＲ＝ＡＣＲ＊Ｋ（Ｋ：１未満の所定値）、ＡＣＲ＝Ｍａｘ（ＡＣＲ，ＭＣＲ），（Ｍａｘ：大きい方をとる）とし（３５３）、３５４に遷移する。
【００９４】
一方、送出すべきデータセルが有る場合には（３５１）、Ｌ／ＡＣＲのセル間隔でＮｒｍ−１個のデータセルを送出する毎に１個のＦＲＭセルを送出する（３５２）。
【００９５】
途中でＣＩ＝０（輻輳予測無し）のＢＲＭセルを受信したら（３５４）、ＡＣＲ＝ＰＣＲであるか判断し（３５５）、ＡＣＲ＝ＰＣＲである場合には、３５１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３５６）、３５１に遷移する。
【００９６】
またＣＩ＝１（輻輳予測有り）のＢＲＭセルを受信したら（３５７）、送信バッファ７４または６４に送出すべきデータセルが有るか調べ（３５８）、もし無ければＡＣＲ＝ＡＣＲ−ΔＶ’（ΔＶ’：所定値）、ＡＣＲ＝Ｍａｘ（ＡＣＲ，ＭＣＲ），（Ｍａｘ：大きい方をとる）とし（３６０）、３６１に遷移する。
【００９７】
一方、送出すべきデータセルが有る場合には（３５８）、Ｌ／ＡＣＲのセル間隔でデータセルを送出し（３５９）、一定周期ΔＴでＦＲＭセルを送出する（３６１）。途中でＣＩ＝０（輻輳予測無し）のＢＲＭセルを受信したら（３６２）、ＡＣＲ＝ＰＣＲであるか判断し（３６３）、ＡＣＲ＝ＰＣＲである場合には、３５８に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３６４）、３５８に遷移する。またＣＩ＝１（輻輳予測有り）のＢＲＭセルを受信したら（３６５）、ＡＣＲ＝ＡＣＲとし（３６６）、３５８に遷移する。
【００９８】
次に、セル送出制御回路７２を含む送信側のレート制御回路３７またはセル送出制御回路６２を含む送信側の端末装置３４の動作の他の例を図１５のフローを用いて説明する（請求項２、８）。まず、現在のセルレートＡＣＲをＭＣＲに設定する（３５０）。次ぎに送信バッファ７４または６４に送出すべきデータセルが有るか調べ（３５１）、もし無ければＡＣＲ＝ＡＣＲ＊Ｋ（Ｋ：１未満の所定値）、ＡＣＲ＝Ｍａｘ（ＡＣＲ，ＭＣＲ），（Ｍａｘ：大きい方をとる）とし（３５３）、３５４に遷移する。
【００９９】
一方、送出すべきデータセルが有る場合には（３５１）、Ｌ／ＡＣＲのセル間隔でＮｒｍ−１個のデータセルを送出する毎に１個のＦＲＭセルを送出する（３５２）。
【０１００】
途中でＣＩ＝０（輻輳予測無し）のＢＲＭセルを受信したら（３５４）、ＡＣＲ＝ＰＣＲであるか判断し（３５５）、ＡＣＲ＝ＰＣＲである場合には、３５１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３５６）、３５１に遷移する。
【０１０１】
またＣＩ＝１（輻輳予測有り）のＢＲＭセルを受信したら（３５７）、送信バッファ７４または６４に送出すべきデータセルが有るか調べ（３５８）、もし無ければＡＣＲ＝ＡＣＲ−ΔＶ’（ΔＶ’：所定値）、ＡＣＲ＝Ｍａｘ（ＡＣＲ，ＭＣＲ），（Ｍａｘ：大きい方をとる）とし（３６０）、３６１に遷移する。一方、送出すべきデータセルが有る場合には（３５８）、Ｌ／ＡＣＲのセル間隔でデータセルを送出し（３５９）、一定周期ΔＴでＦＲＭセルを送出する（３６１）。途中でＣＩ＝０（輻輳予測無し）のＢＲＭセルを受信したら（３６２）、ＡＣＲ＝ＰＣＲであるか判断し（３６３）、ＡＣＲ＝ＰＣＲである場合には、３５８に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３６４）、３５８に遷移する。またＣＩ＝１（輻輳予測有り）のＢＲＭセルを受信したら（３６５）、ＡＣＲ＝ＡＣＲ＊Ｋ１（Ｋ１：１未満の定数）とし、ＡＣＲとＭＣＲの内、大きい方をＡＣＲとし（３６７）、３５８に遷移する。
【０１０２】
次に、セル送出制御回路７２を含む送信側のレート制御回路３７またはセル送出制御回路６２を含む送信側の端末装置３４の動作の他の例を図１６のフローを用いて説明する（請求項３、５、９）。まず、現在のセルレートＡＣＲをＭＣＲに設定し、セル速度増加有無信号を増加有り（Ｕ＝１）に設定する（３７０）。次ぎに送信バッファ７４または６４に送出すべきデータセルが有るか調べ（３７１）、もし無ければＡＣＲ＝ＡＣＲ＊Ｋ（Ｋ：１未満の所定値）、ＡＣＲ＝Ｍａｘ（ＡＣＲ，ＭＣＲ），（Ｍａｘ：大きい方をとる）とし（３７３）、３７４に遷移する。
【０１０３】
一方、送出すべきデータセルが有る場合には（３７１）、Ｌ／ＡＣＲのセル間隔でＮｒｍ−１個のデータセルを送出する毎にセル速度増加有無信号Ｕを含む１個のＦＲＭセルを送出する（３７２）。
【０１０４】
途中でＣＩ＝０（輻輳予測無し）のＢＲＭセルを受信したら（３７４）、ＡＣＲ＝ＰＣＲであるか判断し（３７５）、ＡＣＲ＝ＰＣＲである場合には、Ｕ＝０として（３７８）、３７１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３７６）、Ｕ＝１として（３７７）、３７１に遷移する。
【０１０５】
またＣＩ＝１（輻輳予測有り）のＢＲＭセルを受信したら（３７９）、Ｕ＝０とし（３８０）、送信バッファ７４または６４に送出すべきデータセルが有るか調べ（３８１）、もし無ければＡＣＲ＝ＡＣＲ−ΔＶ’（ΔＶ’：所定値）、ＡＣＲ＝Ｍａｘ（ＡＣＲ，ＭＣＲ），（Ｍａｘ：大きい方をとる）とし（３８３）、３８４に遷移する。
【０１０６】
一方、送出すべきデータセルが有る場合には（３８１）、Ｌ／ＡＣＲのセル間隔でデータセルを送出し（３８２）、一定周期ΔＴでセル速度増加有無信号Ｕを含むＦＲＭセルを送出する（３８４）。
【０１０７】
途中でＣＩ＝０（輻輳予測無し）でかつＵ＝１のＢＲＭセルを受信したら（３８５）、ＡＣＲ＝ＰＣＲであるか判断し（３８６）、ＡＣＲ＝ＰＣＲである場合には、Ｕ＝０として（３８７）、３８１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３８８）、Ｕ＝１として（３８９）、３８１に遷移する。また、ＣＩ＝０（輻輳予測無し）でかつＵ＝０のＢＲＭセルを受信したら（３９０）、ＡＣＲ＝ＰＣＲであるか判断し（３９１）、ＡＣＲ＝ＰＣＲである場合には、Ｕ＝０として（３９３）、３８１に遷移する。一方、ＡＣＲ＝ＰＣＲでない場合には、Ｕ＝１として（３９２）、３８１に遷移する。またＣＩ＝１（輻輳予測有り）のＢＲＭセルを受信したら（３９４）、Ｕ＝０として（３９５）、３８１に遷移する。
【０１０８】
次に、セル送出制御回路７２を含む送信側のレート制御回路３７またはセル送出制御回路６２を含む送信側の端末装置３４の動作の他の例を図１７、図１８のフローを用いて説明する（請求項４、６、１０）。この例は本来のＰＣＲを現在レートＡＣＲと等しいセルレートの仮のＰＣＲに変換する場合に、アップダウンカウンタを用いる例である。またこの例は、ＣＩ＝１のＢＲＭセルを受信した場合、セルレート増加有無信号Ｕを増加無し（Ｕ＝０）にする例である。まず、現在のセルレートＡＣＲをＭＣＲに設定し、本来のＰＣＲをＭＡＸ（最大値）に設定し、Ｓ＝０とし、アップダウンカウンタのカウント値ＭをＭｕｐ（最大値）に設定し、セル速度増加有無信号を増加有り（Ｕ＝１）に設定する（４００）。次ぎに送信バッファ７４または６４に送出すべきデータセルが有るか調べ（３７１）、もし無ければＡＣＲ＝ＡＣＲ＊Ｋ（Ｋ：１未満の所定値）、ＡＣＲ＝Ｍａｘ（ＡＣＲ，ＭＣＲ），（Ｍａｘ：大きい方をとる）とし（３７３）、３７４に遷移する。
【０１０９】
一方、送出すべきデータセルが有る場合には（３７１）、Ｌ／ＡＣＲのセル間隔でＮｒｍ−１個のデータセルを送出する毎にセル速度増加有無信号Ｕを含む１個のＦＲＭセルを送出する（３７２）。
【０１１０】
途中でＣＩ＝０（輻輳予測無し）のＢＲＭセルを受信したら（３７４）、ＡＣＲ＝ＰＣＲであるか判断し（３７５）、ＡＣＲ＝ＰＣＲである場合には、Ｕ＝０として（３７８）、３７１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（３７６）、Ｕ＝１として（３７７）、３７１に遷移する。
【０１１１】
またＣＩ＝１（輻輳予測有り）のＢＲＭセルを受信したら（３７９）、Ｕ＝０とし（３８０）、送信バッファ７４または６４に送出すべきデータセルが有るか調べ（４０１）、もし無ければＡＣＲ＝ＡＣＲ−ΔＶ’（ΔＶ’：所定値）、ＡＣＲ＝Ｍａｘ（ＡＣＲ，ＭＣＲ），（Ｍａｘ：大きい方をとる）とし（４０４）、Ｓ＝０とし（４０５）、４０６に遷移する。
【０１１２】
一方、送出すべきデータセルが有る場合には（４０１）、Ｌ／ＡＣＲのセル間隔でデータセルを送出し（４０２）、一定周期ΔＴでセル速度増加有無信号Ｕを含むＦＲＭセルを送出する（４０３）。
【０１１３】
途中でＣＩ＝０（輻輳予測無し）かつＵ＝１のＢＲＭセルを受信したら（４０６）、カウンタ値Ｍを１減算し（４０７）、Ｍ＜０ならば（４０８）、Ｍ＝０とする（４０９）。次ぎにＭが所定値Ｐ２以下か判断し（４１０）、Ｐ２以下である場合は、Ｓ＝０とし（４１１）、ＰＣＲ＝ＭＡＸとする（４１２）。一方、Ｐ２以下でない場合には、４１３に遷移する。次ぎにＡＣＲ＝ＰＣＲ（即ち、仮のＰＣＲ）であるか判断し（４１３）、ＡＣＲ＝ＰＣＲである場合には、Ｕ＝０とし（４１４）、４０１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（４１５）、Ｕ＝１とし（４１６）、４０１に遷移する。
【０１１４】
また、ＣＩ＝０（輻輳予測無し）かつＵ＝０のＢＲＭセルを受信したら（４１７）、カウンタ値Ｍを１減算し（４１８）、Ｍ＜０ならば（４１９）、Ｍ＝０とする（４２０）。次ぎにＭが所定値Ｐ２以下か判断し（４２１）、Ｐ２以下である場合は、Ｓ＝０とし（４２２）、ＰＣＲ＝ＭＡＸとする（４２３）。一方、Ｐ２以下でない場合には、４２４に遷移する。次ぎにＡＣＲ＝ＰＣＲ（即ち、仮のＰＣＲ）であるか判断し（４２４）、ＡＣＲ＝ＰＣＲである場合には、Ｕ＝０とし（４２５）、４０１に遷移する。一方、ＡＣＲ＝ＰＣＲでない場合には、Ｕ＝１として（４２６）、４０１に遷移する。
【０１１５】
またＣＩ＝１（輻輳予測有り）のＢＲＭセルを受信したら（４２７）、Ｕ＝０とし（４２８）、カウンタ値Ｍを１加算し（４２９）、Ｍ＞Ｍｕｐならば（４３０）、Ｍ＝Ｍｕｐとする（４３１）。次ぎにＳ＝１か判断し（４３２）、Ｓ＝１でない場合は、カウンタ値Ｍが所定値Ｐ１（Ｐ１＞Ｐ２）以上か判断し（４３３）、Ｐ１以上の場合には、Ｓ＝１とし（４３４）、ＰＣＲ＝ＡＣＲ（即ち、仮のＰＣＲ）とし（４３５）、４０１に遷移する。一方、Ｐ１以上でない場合は（４３３）、４０１に遷移する。また、Ｓ＝１の場合は、４０１に遷移する。
【０１１６】
なおＳは本来のＰＣＲを一旦現在レートＡＣＲに等しいレートの仮のＰＣＲに変換した場合に、ＰＣＲを元のＭＡＸ値（本来のＰＣＲ値）に戻すと判断するまで再設定しないようにするために用いている。
【０１１７】
次に、セル送出制御回路７２を含む送信側のレート制御回路３７またはセル送出制御回路６２を含む送信側の端末装置３４の動作の他の例を図１９のフローを用いて説明する（請求項１３）。この例はセル加速度だけで動作する送信側のレート制御回路または送信側の端末装置のフローである。まず、現在のセルレートＡＣＲをＭＣＲに設定し、セル速度増加有無信号を増加有り（Ｕ＝１）に設定する（４７０）。次に送信バッファ７４または６４に送出すべきデータセルが有るか調べ（４７１）、もし無ければＡＣＲ＝ＡＣＲ−ΔＶ’（ΔＶ’：所定値）、ＡＣＲ＝Ｍａｘ（ＡＣＲ，ＭＣＲ），（Ｍａｘ：大きい方をとる）とし（４７３）、４７４に遷移する。
【０１１８】
一方、送出すべきデータセルが有る場合には（４７１）、Ｌ／ＡＣＲのセル間隔でデータセルを送出し（４７２）、一定周期ΔＴでセル速度増加有無信号Ｕを含むＦＲＭセルを送出する（４７４）。
【０１１９】
途中でＣＩ＝０（輻輳予測無し）でかつＵ＝１のＢＲＭセルを受信したら（４７５）、ＡＣＲ＝ＰＣＲであるか判断し（４７６）、ＡＣＲ＝ＰＣＲである場合には、Ｕ＝０として（４７７）、４７１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（４７８）、Ｕ＝１として（４７９）、４７１に遷移する。また、ＣＩ＝０（輻輳予測無し）でかつＵ＝０のＢＲＭセルを受信したら（４８０）、ＡＣＲ＝ＰＣＲであるか判断し（４８１）、ＡＣＲ＝ＰＣＲである場合には、Ｕ＝０として（４８２）、４７１に遷移する。一方、ＡＣＲ＝ＰＣＲでない場合には、Ｕ＝１として（４８３）、４７１に遷移する。またＣＩ＝１（輻輳予測有り）のＢＲＭセルを受信したら（４８４）、Ｕ＝０として（４８５）、４７１に遷移する。
【０１２０】
次に、セル送出制御回路７２を含む送信側のレート制御回路３７またはセル送出制御回路６２を含む送信側の端末装置３４の動作の他の例を図２０のフローを用いて説明する（請求項１３）。この例はセル加速比だけで動作する送信側のレート制御回路または送信側の端末装置のフローである。まず、現在のセルレートＡＣＲをＭＣＲに設定し、セル速度増加有無信号を増加有り（Ｕ＝１）に設定する（５００）。次に送信バッファ７４または６４に送出すべきデータセルが有るか調べ（５０１）、もし無ければＡＣＲ＝ＡＣＲ＊Ｋ（Ｋ：１未満の定数）、ＡＣＲ＝Ｍａｘ（ＡＣＲ，ＭＣＲ），（Ｍａｘ：大きい方をとる）とし（５０８）、５０３に遷移する。
【０１２１】
一方、送出すべきデータセルが有る場合には（５０１）、Ｌ／ＡＣＲのセル間隔でＮｒｍ−１個のデータセルを送出する毎に１個のセル速度増加有無信号Ｕを含むＦＲＭセルを送出する（５０２）。
【０１２２】
途中でＣＩ＝０（輻輳予測無し）のＢＲＭセルを受信したら（５０３）、ＡＣＲ＝ＰＣＲであるか判断し（５０４）、ＡＣＲ＝ＰＣＲである場合には、Ｕ＝０として（５０７）、５０１に遷移する。一方、ＡＣＲ＝ＰＣＲでない場合には、ＡＣＲをＡＣＲ＋ΔＶ（ΔＶ：所定値）に変更し、さらにＡＣＲとＰＣＲの内小さい方をＡＣＲとし（５０５）、Ｕ＝１として（５０６）、５０１に遷移する。またＣＩ＝１（輻輳予測有り）のＢＲＭセルを受信したら（５０９）、ＡＣＲ＝ＡＣＲとし（５１０）、Ｕ＝１として（５１１）、５０１に遷移する。
【０１２３】
発端末３３のＦＲＭセル送出回路５３より送出されたＦＲＭセルは、加入者線（アクセス回線）４７を介して送信側のノード３０のインタフェース回路３５に送られる。インタフェース回路３５に到着したセルは順方向のルーチング回路３８に送られる。
【０１２４】
また、送信側の端末装置３４の送信バッファ６４より読み出されたデータセルとＦＲＭセル送出回路６３より送出されたＦＲＭセルは、加入者線（アクセス回線）４７を介して送信側のノード３０のインタフェース回路３６に送られる。インタフェース回路３６に到着したセルは順方向のルーチング回路３８に送られる。
【０１２５】
一方、送信側のレート制御回路３７の送信バッファ７４より読み出されたデータセルとＦＲＭセル送出回路７３より送出されたＦＲＭセルは、送信側のノード３０の順方向のルーチング回路３８に送られる。
【０１２６】
ルーチング回路３８に到着したセルは順方向の出力バッファ３９に振り分けられる。
【０１２７】
送信側のノード３０では、順方向の出力バッファ出力のセルレートより、輻輳予測回路４０により出力伝送路の輻輳予測を次式により行う。
【０１２８】
Ｍ＊Ｌ／Ｔ＋Ｎ＊ΔＶ＊ｔ／（Ｊ＊ΔＴ）＞Ｖｍａｘ−−−−−−（１２）
Ｍ：現在の順方向の出力バッファ出力のＴ／２位相ずれた二つの時間ジャンピングウインドウＴ内のそれぞれの合計セル数
Ｌ：セル長（４２４ｂｉｔ）
Ｔ：所定時間（ｓｅｃ）
Ｎ：Ｊ＊ΔＴ時間内に順方向の出力バッファ出力を流れるＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
セル加速度の場合の輻輳予測式は、次式となり、式（１２）に等しい。
【０１２９】
Ｍ＊Ｌ／Ｔ＋Ｎ＊α＊ｔ／Ｊ＞Ｖｍａｘ−−−−−−−−−（１３）
α＝ΔＶ／ΔＴ
また、セル加速比の場合の輻輳予測式も、次式となり、式（１２）に等しい。
Ｍ＊Ｌ／Ｔ−Ｎ＊Ｎｒｍ＊Ｌ／（ΔＴ＊Ｊ）＋Ｎ＊Ｎｒｍ＊Ｌ＊ｅｘｐ（β＊ｔ）／（ΔＴ＊Ｊ）
≒Ｍ＊Ｌ／Ｔ−Ｎ＊Ｎｒｍ＊Ｌ／（ΔＴ＊Ｊ）＋Ｎ＊Ｎｒｍ＊Ｌ（１＋β＊ｔ）／（ΔＴ＊Ｊ）
＝Ｍ＊Ｌ／Ｔ−Ｎ＊Ｎｒｍ＊Ｌ／（ΔＴ＊Ｊ）＋Ｎ＊Ｎｒｍ＊Ｌ（１＋ΔＶ＊ｔ／（Ｎｒｍ＊Ｌ））／（ΔＴ＊Ｊ）
＝Ｍ＊Ｌ／Ｔ＋Ｎ＊ΔＶ＊ｔ／（ΔＴ＊Ｊ）＞Ｖｍａｘ−−−−−−−（１４）
但し、β＝ΔＶ／（Ｎｒｍ＊Ｌ）
【０１３０】
従って、式１２によって、セル加速度モードの送信側の端末装置またはレート制御回路と、セル加速比モードの送信側の端末装置またはレート制御回路と、セル速度一定の発端末から送出されるセルの輻輳予測が同時に可能になる。
【０１３１】
式（１２）の左辺の第２項は輻輳予測帯域である。式（１２）を満たす時輻輳予測回路４０は輻輳予測有り（輻輳の前兆有り）と判断する。輻輳予測回路４０は輻輳予測有りと判断した場合には、輻輳予測信号挿入回路４１において順方向出力バッファ出力を流れるＦＲＭセルのペイロードのＣＩビットを１に設定する。
【０１３２】
式（１２）の輻輳予測は、図１１に示した発端末および、図１４、図１５、図１６、図１７、図１８、図１９、図２０に示した送信側の端末装置またはレート制御回路に対応可能である。
【０１３３】
図２１に送信側のノード３０の輻輳回避動作を示す（請求項１、２、７、８）。まず、輻輳予測回路４０において、順方向の出力バッファ出力のＴ／２位相ずれた二つの時間ウインドウＴ内のそれぞれの合計セル数Ｍを測定する（４５０）。次ぎにＪ＊ΔＴ時間内に順方向の出力バッファ出力を流れるＦＲＭセルの数Ｎを測定する（４５１）。次ぎにＭ＊Ｌ／Ｔ＋Ｎ＊ΔＴ＊ｔ／（Ｊ＊ΔＴ）＞Ｖｍａｘ、（Ｌ：セル長、ΔＴ：セル加速度のＦＲＭセル周期、ΔＶ：セル速度増加量）により輻輳の前兆の有無を判断する（４５２）。輻輳の前兆有りと判断すると（４５３）、輻輳予測信号挿入回路４１において一定時間順方向出力バッファ出力を流れるＦＲＭセルのＣＩビットを１に設定する（４５４）。もし輻輳の前兆無しと判断すれば（４５５）なにもしない。
【０１３４】
次に、輻輳予測回路４０により出力伝送路の輻輳予測を行う他の例を次式に示す。
Ｍ＊Ｌ／Ｔ＋Ｎ＊ΔＶ＊ｔ／（Ｊ＊ΔＴ）＞Ｖｍａｘ−−−−−−−−（１５）
Ｍ：現在の順方向の出力バッファ出力のＴ／２位相ずれた二つの時間ジャンピングウインドウＴ内のそれぞれの合計セル数
Ｌ：セル長（４２４ｂｉｔ）
Ｔ：所定時間（ｓｅｃ）
Ｎ：Ｊ＊ΔＴ時間内に順方向の出力バッファ出力を流れるセルレート増加有り信号（Ｕ＝１）を含むＦＲＭセルの数
Ｖｍａｘ：出力伝送路の許容セルレート
ΔＶ：送信端末装置または送信レート制御回路の最大セルレート増加量（ｂｉｔ／ｓｅｃ）
ΔＴ：一定時間（加速度モードのＦＲＭセルの周期）
Ｊ：定数
ｔ：輻輳予測時間（送信端末装置と最遠端受信端末装置との往復遅延時間＋Ｔ／２）（ｓｅｃ）
【０１３５】
式（１５）は式（１２）と同様、セル加速度モードの送信側の端末装置またはレート制御回路と、セル加速比モードの送信側の端末装置またはレート制御回路と、セル速度一定の発端末から送出されるセルの輻輳予測が同時に可能になる。
【０１３６】
式（１５）の左辺の第２項は輻輳予測帯域である。
【０１３７】
式（１５）を満たす時輻輳予測回路４０は輻輳予測有り（輻輳の前兆有り）と判断する。輻輳予測回路４０は輻輳予測有りと判断した場合には、輻輳予測信号挿入回路４１において順方向出力バッファ出力を流れるＦＲＭセルのペイロードのＣＩビットを１に設定する。
【０１３８】
式（１５）の輻輳予測は、図１１に示した発端末および、図１６、図１７、図１８、図１９、図２０に示した送信側の端末装置またはレート制御回路に対応可能である。
【０１３９】
図２２に送信側のノード３０の輻輳回避動作の他の例（式（１５）に対応する例）を示す（請求項３、４、５、６、１３）。まず、輻輳予測回路４０において、順方向の出力バッファ出力のＴ／２位相ずれた二つの時間ウインドウＴ内のそれぞれの合計セル数Ｍを測定する（４６０）。次ぎにＪ＊ΔＴ時間内に順方向の出力バッファ出力を流れるセルレート増加有り信号（Ｕ＝１）を含むＦＲＭセルの数Ｎを測定する（４６１）。次ぎにＭ＊Ｌ／Ｔ＋Ｎ＊ΔＴ＊ｔ／（Ｊ＊ΔＴ）＞Ｖｍａｘ、（Ｌ：セル長、ΔＴ：セル加速度のＦＲＭセル周期、ΔＶ：セル速度増加量）により輻輳の前兆の有無を判断する（４６２）。輻輳の前兆有りと判断すると（４６３）、輻輳予測信号挿入回路４１において一定時間順方向出力バッファ出力を流れるＦＲＭセルのＣＩビットを１に設定する（４６４）。もし輻輳の前兆無しと判断すれば（４６５）なにもしない。
【０１４０】
送信側のノード３０の順方向の出力バッファ３９より送出されたセルは中継伝送路４８を介して中継ノード３１の順方向のルーチング回路３８に到達する。ルーチング回路３８に到着したセルは順方向の出力バッファ３９に振り分けられる。輻輳予測回路４０は順方向の出力バッファ出力のセルレートより輻輳予測を行う。中継ノード３１の輻輳予測回路４０および輻輳予測信号挿入回路４１の動作は送信側のノード３０の動作（図２１、図２２）と同じなので説明を省略する。
【０１４１】
中継ノード３１の順方向の出力バッファ３９より送出されたセルは受信側のノード３２の順方向のルーチング回路３８に到達する。順方向のルーチング回路３８に到着したセルは出力バッファ３９を介して受信側のレート制御回路４６または受信側のインタフェース回路４４または受信側のインタフェース回路４２に振り分けられる。受信側のインタフェース回路４２に到着したセルは着端末４３に送られる。受信側のインタフェース回路４４に到着したセルは受信側の端末装置４５に送られる。受信側のレート制御回路４６または受信側の端末装置４５に到達したセルの内、ＦＲＭセルはＦＲＭセル折り返し回路６０または７０でＢＲＭセルに変換後折り返される。一方、受信側のレート制御回路４６の場合、データセルはパケットに変換後受信端末側に送られる。尚、受信側の端末装置４５の場合、ＦＲＭセルは、受信側のインタフェース回路４４で折り返してもよい。
実施例１は、中継ノードは、順方向と逆方向は別ノードでもよい。
【０１４２】
以上述べた実施例１では、輻輳予測回路が輻輳の前兆を検出したとき、順方向の出力バッファ出力を流れるＦＲＭセルに輻輳予測信号を挿入する例を示したが、輻輳予測信号は、逆方向経路入力を流れるＢＲＭセルに挿入してもよい。この場合、中継ノードは国際中継ノードであってもよい。
【０１４３】
また、以上述べた実施例１では、ＦＲＭセル、ＢＲＭセルを用いたＶＣ網の例を示したが、本発明は、ＶＰＦＲＭセル（特定ＶＣＩのセル）、ＶＰＢＲＭセル（特定ＶＣＩのセル）を用いたＶＰ網にも適用できる。
【０１４４】
また、以上述べた実施例１では、セルは網内ノードにおいて、経路識別番号により転送される例を示したが、セルはペイロード内の宛先アドレスにより転送されるように網内ノードを構成してもよい。このようなセルとして、ＶＣ設定セル、ＶＰ設定セルがある。
【０１４５】
本発明は、汎用の情報処理装置にインストールすることにより、その情報処理装置に本発明の送信装置および発端末に相応する機能を実現させるプログラムとして実現することができる（請求項１４〜１９）。このプログラムは、記録媒体に記録されて情報処理装置にインストールされ（請求項２０）、あるいは通信回線を介して情報処理装置にインストールされることにより当該情報処理装置に、本発明の送信装置または発端末にそれぞれ相応する機能を実現させることができる。
【産業上の利用可能性】
【０１４６】
本発明によれば、網が輻輳予測状態でない場合は、セル加速比でセルレートを増加することにより、早くピークセルレートに到達でき、大容量データ伝送が可能になる。また、網が輻輳予測状態では到達速度確保形のセル加速度でセルを送出することにより、網が輻輳予測状態でもレートを低減せずに効率の良いセル転送ができる。また、長距離伝送では、セル加速比でセルを転送した場合には、輻輳予測帯域が大きくなり、輻輳の前兆有りとなるので輻輳予測信号が送信装置に通知され、送信装置は、自動的にセル加速度モードに切り替わる。これによって、長距離でもスループットの高いセル転送が可能になる。また、網が輻輳予測状態の頻度が高い状態を継続させる場合には、送信装置は、セル加速度で優先制御と非優先制御の二つのモードを使いわけることができる。
【０１４７】
これにより、ネットワーク管理者にとっては、ネットワーク管理が容易になり、ユーザにとっては高品質のサービスを受けることができる。
【図面の簡単な説明】
【０１４８】
【図１】従来例１の構成図。
【図２】セルフォーマットの一例を示す図。
【図３】従来例の送信端末装置の動作フローを示す図。
【図４】本発明の第１実施例を説明するための図。
【図５】発端末の構成図。
【図６】送信側の端末装置の構成図。
【図７】送信側のレート制御回路の構成図。
【図８】着端末の構成図。
【図９】受信側の端末装置の構成図。
【図１０】受信側のレート制御回路の構成を示す図。
【図１１】発端末の動作フロー示す図。
【図１２】受信側のインタフェース回路の動作フローを示す図。
【図１３】送信側の端末装置または送信側のレート制御回路の動作フローを示す図。
【図１４】セル送出制御回路を含む送信側のレート制御回路またはセル送出制御回路を含む送信側の端末装置３４の動作フロー示す図。
【図１５】セル送出制御回路を含む送信側のレート制御回路またはセル送出制御回路を含む送信側の端末装置の動作の他のフロー示す図。
【図１６】セル送出制御回路を含む送信側のレート制御回路またはセル送出制御回路を含む送信側の端末装置の動作の他のフロー示す図。
【図１７】セル送出制御回路を含む送信側のレート制御回路またはセル送出制御回路を含む送信側の端末装置の動作の他のフロー示す図。
【図１８】セル送出制御回路を含む送信側のレート制御回路またはセル送出制御回路を含む送信側の端末装置の動作の他のフローを示す図。
【図１９】セル送出制御回路を含む送信側のレート制御回路またはセル送出制御回路を含む送信側の端末装置の動作の他のフローを示す図。
【図２０】セル送出制御回路を含む送信側のレート制御回路またはセル送出制御回路を含む送信側の端末装置の動作の他のフローを示す図。
【図２１】送信側のノードの輻輳回避動作を示す図。
【図２２】送信側のノードの輻輳回避動作の他フローを示す図。
【符号の説明】
【０１４９】
１ー１、１ー２  送信端末装置
２  セル組立回路
３  送信バッファ
４  セル送出制御回路
５  ＦＲＭセル送出回路
６  ＢＲＭセル受信回路
７  受信バッファ
８  セル分解回路
９、１０  中継ノード
１１、１２  バッファ
１３  輻輳予測回路
１４  輻輳予測信号挿入回路
１５  経路選択回路
１６ー１、１６ー２  受信端末装置
１７  受信バッファ
１８  セル分解回路
１９  ＦＲＭセル折り返し回路
２０  セル組立回路
２１  送信バッファ
２２  伝送路
３０  送信側のノード
３１  中継ノード
３２  受信側のノード
３３  発端末
３４  送信側の端末装置
３５、３６  送信側のＵＰＣ等のインタフェース回路
３７  送信側のレート制御回路
３８  ルーチング回路
３９  出力バッファ
４０  輻輳予測回路
４１  輻輳予測信号挿入回路
４２、４４  受信側のＵＰＣ等のインタフェース回路
４３  着端末
４５  受信側の端末装置
４６  受信側のレート制御回路
４７  加入者線（アクセス回線）
４８  中継伝送路
５０  ＦＲＭセル折り返し回路
５１  ＢＲＭセル受信回路
５２  セル送出制御回路
５３  ＦＲＭセル送出回路
５４  送信バッファ
５５  符号化回路
５６  受信バッファ
５７  ＦＲＭセル分解回路
５８  復号化回路
６０  ＦＲＭセル折り返し回路
６１  ＢＲＭセル受信回路
６２  セル送出制御回路
６３  ＦＲＭセル送出回路
６４  送信バッファ
６５  セル組立回路
６６  受信バッファ
６７  セル分解回路
７０  ＦＲＭセル折り返し回路
７１  ＢＲＭセル受信回路
７２  セル送出制御回路
７３  ＦＲＭセル送出回路
７４  送信バッファ
７５  セル組立回路
７６  受信バッファ
７７  セル分解回路
【図１】
2005073158.tif 000003
【図２】
2005073158.tif 000004
【図３】
2005073158.tif 000005
【図４】
2005073158.tif 000006
【図５】
2005073158.tif 000007
【図６】
2005073158.tif 000008
【図７】
2005073158.tif 000009
【図８】
2005073158.tif 000010
【図９】
2005073158.tif 000011
【図１０】
2005073158.tif 000012
【図１１】
2005073158.tif 000013
【図１２】
2005073158.tif 000014
【図１３】
2005073158.tif 000015
【図１４】
2005073158.tif 000016
【図１５】
2005073158.tif 000017
【図１６】
2005073158.tif 000018
【図１７】
2005073158.tif 000019
【図１８】
2005073158.tif 000020
【図１９】
2005073158.tif 000021
【図２０】
2005073158.tif 000022
【図２１】
2005073158.tif 000023
【図２２】
2005073158.tif 000024